(57)【要約】  情報記録媒体、記録／再生装置及び記録／再生方法が開示される。本発明による情報記録媒体は、媒体に適用された所定機能に関する情報を記録するための領域が媒体に設けられ、所定機能に関する情報は、所定機能を認識する記録／再生装置により、所定機能に関する設定情報が設定される個別情報と、所定機能を認識できない記録／再生装置であっても、所定機能を運用できるようにするために、所定機能を認識する記録／再生装置により設定情報に依存する対応情報に基づいて設定される共通情報とを含む。これにより、所定機能を認識できない記録／再生装置であっても、そのような所定機能が適用された媒体を適切に運用することが可能になる。
2008518375.tif 000002
【特許請求の範囲】
【請求項１】
情報記録媒体において、
所定機能に関する情報を記録するための領域が前記媒体に割り当てられ、
前記所定機能に関する情報は、
前記所定機能を認識する記録／再生装置により設定される個別情報と共通情報とを含み、前記個別情報は、前記所定機能に関連した設定情報を含み、前記共通情報は、前記所定機能を認識できない記録／再生装置が前記所定機能を運用できるようにするために、前記設定情報に依存する対応情報を含むことを特徴とする情報記録媒体。
【請求項２】
前記所定機能に関する情報は、アクセス制御データを含むことを特徴とする請求項１に記載の情報記録媒体。
【請求項３】
前記個別情報は、上位概念の情報を示し、前記共通情報は、下位概念の情報を示すことを特徴とする請求項１に記載の情報記録媒体。
【請求項４】
情報記録媒体において、
前記媒体に適用された所定機能を認識できない記録／再生装置であっても、前記媒体へのアクセスを制御できるように設定される共通情報を有するアクセス制御データ（ＡＣＤ）を記録するためのアクセス制御領域が前記媒体に設けられ、
前記共通情報は、前記媒体に適用された所定機能に関する設定情報に依存する対応情報に基づいて設定されることを特徴とする情報記録媒体。
【請求項５】
前記アクセス制御データは、
前記所定機能を認識する記録／再生装置により設定される前記設定情報を示す個別情報をさらに含むことを特徴とする請求項４に記載の情報記録媒体。
【請求項６】
前記所定機能は、記録防止機能であり、
前記個別情報は、記録防止状態情報であり、
前記共通情報は、欠陥管理領域記録可否情報、スペア領域記録可否情報、ユーザデータ領域記録可否情報のうち少なくとも一つ以上を含むことを特徴とする請求項５に記載の情報記録媒体。
【請求項７】
前記個別情報の記録防止状態情報が記録防止に設定されていれば、前記共通情報のうち、欠陥管理領域記録可否情報、スペア領域記録可否情報、ユーザデータ領域記録可否情報のうち少なくとも一つ以上が記録不可状態に設定され、
前記個別情報の記録防止状態情報が記録防止解除に設定されていれば、前記共通情報のうち、欠陥管理領域記録可否情報、スペア領域記録可否情報、ユーザデータ領域記録可否情報のうち少なくとも一つ以上が記録可能状態に設定されることを特徴とする請求項６に記載の情報記録媒体。
【請求項８】
前記所定機能は、再生防止機能であり、
前記個別情報は、再生防止状態情報であり、
前記共通情報は、ユーザデータ領域再生可否情報のうち少なくとも一つ以上を含むことを特徴とする請求項５に記載の情報記録媒体。
【請求項９】
前記個別情報の再生防止状態情報が再生防止に設定されていれば、前記共通情報の前記ユーザデータ領域再生可否情報は、再生不可状態に設定され、
前記個別情報の再生防止状態情報が再生防止解除に設定されていれば、前記共通情報の前記ユーザデータ領域再生可否情報は、再生可能状態に設定することを特徴とする請求項８に記載の情報記録媒体。
【請求項１０】
記録／再生装置において、
情報記録媒体に適用された所定機能に関する情報を記録するための割り当てられた領域が設けられる前記媒体にデータを記録するか、または前記媒体からデータを読み出す記録／読み出し部と、
前記所定機能に関する設定情報が設定される個別情報及び前記所定機能を認識できない記録／再生装置であっても、前記所定機能を運用できるようにするために、前記設定情報に依存する対応情報に基づいて設定される共通情報を前記領域に記録するように、前記記録／読み出し部を制御する制御部とを備えることを特徴とする記録／再生装置。
【請求項１１】
前記所定機能に関する情報は、アクセス制御データを含むことを特徴とする請求項１０に記載の記録／再生装置。
【請求項１２】
前記個別情報は、上位概念の情報を示し、前記共通情報は、下位概念の情報を示すことを特徴とする請求項１０に記載の記録／再生装置。
【請求項１３】
記録／再生装置において、
情報記録媒体に適用された所定機能を認識できない記録／再生装置であっても、前記媒体へのアクセスを制御できるように設定される共通情報を有するアクセス制御データ（ＡＣＤ）を記録するためのアクセス制御領域が設けられた前記媒体にデータを記録するか、または前記媒体からデータを読み出す記録／読み出し部と、
前記共通情報を前記媒体に適用された所定機能に関する設定情報に依存する対応情報に基づいて設定し、前記共通情報を前記媒体に記録するように前記記録／読み出し部を制御する制御部とを備えることを特徴とする記録／再生装置。
【請求項１４】
前記アクセス制御データは、
前記所定機能を認識する記録／再生装置により設定される前記設定情報を示す個別情報をさらに含むことを特徴とする請求項１３に記載の記録／再生装置。
【請求項１５】
前記所定機能は、記録防止機能であり、
前記個別情報は、記録防止状態情報であり、
前記共通情報は、欠陥管理領域記録可否情報、スペア領域記録可否情報、ユーザデータ領域記録可否情報のうち少なくとも一つ以上を含むことを特徴とする請求項１４に記載の記録／再生装置。
【請求項１６】
前記制御部は、
前記個別情報の記録防止状態情報を記録防止に設定すれば、前記共通情報のうち、欠陥管理領域記録可否情報、スペア領域記録可否情報、ユーザデータ領域記録可否情報のうち少なくとも一つ以上は、記録不可状態に設定し、
前記個別情報の記録防止状態情報を記録防止解除に設定すれば、前記共通情報のうち、欠陥管理領域記録可否情報、スペア領域記録可否情報、ユーザデータ領域記録可否情報のうち少なくとも一つ以上は、記録可能状態に設定することを特徴とする請求項１５に記載の記録／再生装置。
【請求項１７】
前記所定機能は、再生防止機能であり、
前記個別情報は、再生防止状態情報であり、
前記共通情報は、ユーザデータ領域再生可否情報のうち少なくとも一つ以上を含むことを特徴とする請求項１４に記載の記録／再生装置。
【請求項１８】
前記制御部は、
前記個別情報の再生防止状態情報を再生防止に設定すれば、前記共通情報の前記ユーザデータ領域再生可否情報は、再生不可状態に設定し、
前記個別情報の再生防止状態情報を再生防止解除に設定すれば、前記共通情報の前記ユーザデータ領域再生可否情報は、再生可能状態に設定することを特徴とする請求項１７に記載の記録／再生装置。
【請求項１９】
記録／再生方法において、
情報記録媒体に適用された所定機能に関する情報を記録するための領域が割り当てられる前記媒体にデータを記録するか、または前記媒体からデータを読み出す段階と、
前記割り当てられた領域に、前記所定機能に関する設定情報を含む個別情報及び前記所定機能を認識できない記録／再生装置が前記所定機能を運用できるようにするために、前記設定情報に依存する対応情報を含む共通情報を記録する段階とを含むことを特徴とする記録／再生方法。
【請求項２０】
前記所定機能に関する情報は、アクセス制御データを含むことを特徴とする請求項１９に記載の記録／再生方法。
【請求項２１】
前記個別情報は、上位概念の情報を示し、前記共通情報は、下位概念の情報を示すことを特徴とする請求項１９に記載の記録／再生方法。
【請求項２２】
記録／再生方法において、
情報記録媒体に適用された所定機能を認識できない記録／再生装置であっても、前記媒体へのアクセスを制御できるように設定される共通情報を有するアクセス制御データ（ＡＣＤ）を記録するためのアクセス制御領域が設けられた前記媒体にデータを記録するか、または前記媒体からデータを読み出す段階と、
前記共通情報を前記媒体に適用された所定機能に関する設定情報に依存する対応情報に基づいて設定する段階とを含むことを特徴とする記録／再生方法。
【請求項２３】
前記アクセス制御データは、
前記所定機能を認識する記録／再生装置により設定される前記設定情報を示す個別情報をさらに含むことを特徴とする請求項２２に記載の記録／再生方法。
【請求項２４】
前記所定機能は、記録防止機能であり、
前記個別情報は、記録防止状態情報であり、
前記共通情報は、欠陥管理領域記録可否情報、スペア領域記録可否情報、ユーザデータ領域記録可否情報のうち少なくとも一つ以上を含むことを特徴とする請求項２３に記載の記録／再生方法。
【請求項２５】
前記設定段階は、
前記個別情報の記録防止状態情報を記録防止に設定すれば、前記共通情報のうち、欠陥管理領域記録可否情報、スペア領域記録可否情報、ユーザデータ領域記録可否情報のうち少なくとも一つ以上は、記録不可状態に設定する段階と、
前記個別情報の記録防止状態情報を記録防止解除に設定すれば、前記共通情報のうち、欠陥管理領域記録可否情報、スペア領域記録可否情報、ユーザデータ領域記録可否情報のうち少なくとも一つ以上は、記録可能状態に設定する段階とを含むことを特徴とする請求項２４に記載の記録／再生方法。
【請求項２６】
前記所定機能は、再生防止機能であり、
前記個別情報は、再生防止状態情報であり、
前記共通情報は、ユーザデータ領域再生可否情報のうち少なくとも一つ以上を含むことを特徴とする請求項２３に記載の記録／再生方法。
【請求項２７】
前記設定段階は、
前記個別情報の再生防止状態情報を再生防止に設定すれば、前記共通情報の前記ユーザデータ領域再生可否情報は、再生不可状態に設定する段階と、
前記個別情報の再生防止状態情報を再生防止解除に設定すれば、前記共通情報の前記ユーザデータ領域再生可否情報は、再生可能状態に設定する段階とを含むことを特徴とする請求項２６に記載の記録／再生方法。
【発明の詳細な説明】
【技術分野】
【０００１】
本発明は、ディスク分野に係り、さらに具体的には、ディスクの互換性を向上させる情報記録媒体、記録／再生装置及び記録／再生方法に関する。
【背景技術】
【０００２】
最近、光ディスク技術と半導体技術との発達により、初期に光ディスクドライブシステムと光ディスクとを備える光システムのための規格が確定された後、新たな機能の追加が頻繁になり、かかる場合に初期に確定された規格はアップデートされなければならない。
【０００３】
図１は、従来技術による問題点を説明するための参考図である。
【０００４】
既存の規格を“ＯＬＤ規格”とし、ＯＬＤ規格に新たな機能が追加されてアップデートされた規格を“ＮＥＷ規格”としたとき、ＯＬＤ規格のディスク１２は、ＯＬＤ規格のドライブシステム１１で動作されるように設けられ、ＮＥＷ規格のディスク１４は、ＮＥＷ規格のドライブシステム１３で動作されるように設けられる。
【０００５】
ＯＬＤ規格とＮＥＷ規格とは、追加された新たな機能のため、記録／再生の互換性を維持することもあり、そうでないこともある。二つの規格が記録／再生互換性を有するということは、ＯＬＤ規格のドライブシステム１１で使われるＯＬＤ規格ディスク１２がＮＥＷ規格のドライブシステム１３でも記録／再生が可能であることを示し、また、ＮＥＷ規格のドライブシステム１３で使われるＮＥＷ規格のディスク１４がＯＬＤ規格のドライブシステム１１でも記録／再生が可能であることを示す。
【０００６】
このように新たな機能の追加により、ＯＬＤ規格とＮＥＷ規格、二つの規格間の相互記録／再生互換性を保証するためには、ＯＬＤ規格のドライブシステム１１に新たな機能が適用されたＮＥＷ規格のディスク１４がローディングされたとき、ＯＬＤ規格ドライブシステム１１がその新たな機能に対して適切に対応する必要性がある。このために、ＯＬＤ規格の制定当時、未来の新たな機能の追加に対する適切な対応を用意する必要性がある。また、このような適切な対応方案は、ＮＥＷ規格で適用可能な一般論でなければならない。その理由は、ＮＥＷ規格に新たな機能を追加してさらに新たな規格にアップデートされたときも適用可能でなければならないためである。
【０００７】
結局、このように新たな機能の追加による一連の色々な規格が相互記録／再生互換性を有するためには、当初に規格を作るときに新たな機能の追加に対備しなければならない。このために、現在の規格が知っている機能に対してドライブシステムが動作しなければならない規則と、現在の規格が知らない未来に追加される機能に対して現在のドライブシステムが動作しなければならない規則とを定立する必要がある。すなわち、現在の規格に新たな機能が追加されて未来の規格が作られたとき、未来の規格のためのドライブシステムは、現在の規格のためのドライブシステムが新たな機能に対して行う動作をディスク上に保存すれば、これにより、現在の規格のドライブシステムに新たな機能が追加された未来のディスクがローディングされても、そのディスク上に保存された情報を読み取ってその新たな機能に対する動作を行うことができる。言い換えれば、未来の規格のドライブシステムは、現在の規格のドライブシステムが未来の規格に追加された新たな機能自体は知らなくても、その新たな機能が適用されたディスクをどのように運用しなければならないかを知らせうる方案が要求される。
【発明の開示】
【発明が解決しようとする課題】
【０００８】
本発明は、規格の異なるドライブシステムでもディスクの互換性を向上させるための情報記録媒体、記録／再生装置及び記録／再生方法を提供することを目的とする。
【課題を解決するための手段】
【０００９】
以上のような課題を解決するための本発明の一つの特徴は、情報記録媒体において、前記媒体に適用された所定機能に関する情報を記録するための領域が前記媒体に設けられ、前記所定機能に関する情報は、前記所定機能を認識する記録／再生装置により、前記所定機能に関する設定情報が設定される個別情報と、前記所定機能を認識できない記録／再生装置であっても、前記所定機能を運用できるようにするために、前記所定機能を認識する記録／再生装置により、前記設定情報に依存する対応情報に基づいて設定される共通情報を含むことである。
【００１０】
前記所定機能に関する情報は、アクセス制御データを含むことが望ましい。
【００１１】
前記個別情報は、上位概念の情報を示し、前記共通情報は、下位概念の情報を示すことが望ましい。
【００１２】
本発明の他の特徴は、情報記録媒体において、前記媒体に適用された所定機能を認識できない記録／再生装置であっても、前記媒体へのアクセスを制御できるように設定される共通情報を有するアクセス制御データ（ＡＣＤ）を記録するためのアクセス制御領域が前記媒体に設けられ、前記共通情報は、前記媒体に適用された所定機能に関する設定情報に依存する対応情報に基づいて設定されることである。
【００１３】
前記アクセス制御データは、前記所定機能を認識する記録／再生装置により設定される前記設定情報を示す個別情報をさらに含むことが望ましい。
【００１４】
前記所定機能は、記録防止機能であり、前記個別情報は、記録防止状態情報であり、前記共通情報は、欠陥管理領域記録可否情報、スペア領域記録可否情報、ユーザデータ領域記録可否情報のうち少なくとも一つ以上を含むことが望ましい。
【００１５】
前記個別情報の記録防止状態情報が記録防止に設定されていれば、前記共通情報のうち、欠陥管理領域記録可否情報、スペア領域記録可否情報、ユーザデータ領域記録可否情報のうち少なくとも一つ以上が記録不可状態に設定され、前記個別情報の記録防止状態情報が記録防止解除に設定されていれば、前記共通情報のうち、欠陥管理領域記録可否情報、スペア領域記録可否情報、ユーザデータ領域記録可否情報のうち少なくとも一つ以上が記録可能状態に設定されることが望ましい。
【００１６】
前記所定機能は、再生防止機能であり、前記個別情報は、再生防止状態情報であり、前記共通情報は、ユーザデータ領域再生可否情報のうち少なくとも一つ以上を含むことが望ましい。
【００１７】
前記個別情報の再生防止状態情報が再生防止に設定されていれば、前記共通情報の前記ユーザデータ領域再生可否情報は、再生不可状態に設定され、前記個別情報の再生防止状態情報が再生防止解除に設定されていれば、前記共通情報の前記ユーザデータ領域再生可否情報は、再生可能状態に設定することが望ましい。
【００１８】
本発明の他の特徴は、記録／再生装置において、情報記録媒体に適用された所定機能に関する情報を記録するための領域が設けられる前記媒体にデータを記録するか、または前記媒体からデータを読み出す記録／読み出し部と、前記所定機能に関する設定情報が設定される個別情報及び前記所定機能を認識できない記録／再生装置であっても、前記所定機能を運用できるようにするために、前記設定情報に依存する対応情報に基づいて設定される共通情報を前記領域に記録するように、前記記録／読み出し部を制御する制御部とを備えることである。
【００１９】
本発明のさらに他の特徴は、記録／再生装置において、情報記録媒体に適用された所定機能を認識できない記録／再生装置であっても、前記媒体へのアクセスを制御できるように設定される共通情報を有するアクセス制御データ（ＡＣＤ）を記録するためのアクセス制御領域が設けられた前記媒体にデータを記録するか、または前記媒体からデータを読み出す記録／読み出し部と、前記共通情報を前記媒体に適用された所定機能に関する設定情報に依存する対応情報に基づいて設定し、前記共通情報を前記媒体に記録するように前記記録／読み出し部を制御する制御部とを備えることである。
【００２０】
本発明のさらに他の特徴は、記録／再生方法において、情報記録媒体に適用された所定機能に関する情報を記録するための領域が設けられる前記媒体にデータを記録するか、または前記媒体からデータを読み出す段階と、前記所定機能に関する設定情報が設定される個別情報及び前記所定機能を認識できない記録／再生装置であっても、前記所定機能を運用できるようにするために、前記設定情報に依存する対応情報に基づいて設定される共通情報を前記領域に記録する段階とを含むことである。
【００２１】
本発明のさらに他の特徴は、記録／再生方法において、情報記録媒体に適用された所定機能を認識できない記録／再生装置であっても、前記媒体へのアクセスを制御できるように設定される共通情報を有するアクセス制御データ（ＡＣＤ）を記録するためのアクセス制御領域が設けられた前記媒体にデータを記録するか、または前記媒体からデータを読み出す段階と、前記共通情報を前記媒体に適用された所定機能に関する設定情報に依存する対応情報に基づいて設定する段階とを含むことである。
【発明の効果】
【００２２】
本発明によれば、所定機能を認識できない記録／再生装置であっても、そのような所定機能が適用された媒体を適切に運用できるようになって、異なる規格による記録／再生装置でディスクの互換性を向上させることができる。
【発明を実施するための最良の形態】
【００２３】
以下、添付された図面を参照して本発明を詳細に説明する。
【００２４】
図２は、本発明によるディスク運用方法を説明するための参考図である。図２を参照するに、機能Ａを認識できないドライブシステムも、機能Ａが適用されたディスク１００を適切に運用できるようにするために本発明が着目したことは、機能Ａを認識するドライブシステムで自身が知っている機能Ａを使用するための設定情報をディスク１００に記録するだけでなく、機能Ａを認識できないドライブシステムが認識できる共通情報にこの設定情報に依存する対応情報を設定してディスク１００に記録することである。
【００２５】
本発明による情報記録媒体、すなわちディスク１００は、前記媒体に適用された所定機能を認識できない記録／再生装置であっても、前記媒体へのアクセスを制御できるように設定される情報を含む共通情報フィールドと、所定機能を認識する記録／再生装置のために所定機能に関する設定情報を含んでいる個別情報フィールドとを備えるアクセス制御データ（ＡＣＤ）を記録するためのアクセス制御領域が設けられる。そして、このような共通情報フィールドには、前記媒体に適用された所定機能を認識できない記録／再生装置であっても前記媒体を正しく制御できるように、設定される情報の一部または全体が前記媒体に適用された所定機能を認識する記録／再生装置のための所定機能に限定された情報フィールドの値に依存して設定される。
【００２６】
言い換えれば、前記媒体に適用された所定機能を認識する記録／再生装置のために設定される個別情報フィールドには、所定機能によって使用しようとするユーザ（ドライブ製作者、記録及び／または再生用アプリケーション、ファイルシステムドライブ、コマンドセットまたは最終ユーザなど）の意図によって、その値が異なって設定され、また前記共通情報フィールドには、前記媒体に適用された所定機能を認識できない記録／再生装置のために、前記個別情報の設定値によって対応するように設定され、このような設定は、前記媒体に適用された所定機能を認識する記録／再生装置によって行われる。
【００２７】
これは、ユーザが媒体を使用しようとする使用用途によって上位概念の情報値（個別情報の設定値）が設定されれば、その上位概念に設定された情報値、すなわち、ユーザが媒体を使用しようとする使用用途によってその下位概念の情報値（共通情報の設定値）が決定されることを意味する。
【００２８】
図３は、本発明が適用されるディスクの構造図である。図３を参照するに、本発明が適用されるディスク１００は、リードイン領域１１０、データ領域１２０、リードアウト領域１３０が連続的に設けられる。
【００２９】
リードイン領域１１０は、ディスク製造時に所定のデータが予め記録されて専用にのみ使われる予め記録された領域１１１と、データの記録及び変更の可能な記録可能領域１１２とを含む。
【００３０】
データ領域１２０は、スペア領域＃１  １２１、ユーザデータ領域１２２、スペア領域＃２  １２３を含む。ユーザデータ領域１２２は、ユーザデータが記録される領域である。スペア領域＃１  １２１、スペア領域＃２  １２３は、ユーザデータ領域１２２に発生した欠陥ブロックを代替する代替ブロックを記録するために設けられた領域である。このようなスペア領域は、ディスクの初期化時または再初期化のときにデータ領域に割り当てられる。
【００３１】
リードアウト領域１３０は、欠陥管理領域（ＤＭＡ：Ｄｅｆｅｃｔ  Ｍａｎａｇｅｍｅｎｔ  Ａｒｅａ））などを含みうる。
【００３２】
予め記録された領域１１１は、ディスク製造時にディスク自体の情報が予め記録される。例えば、ディスクを識別するディスク製造番号などのディスクＩＤなどを含む制御データが記録されるため、制御データ領域１１３と呼ばれる。
【００３３】
記録可能領域１１２は、ＤＭＡ１１４、テスト領域１１５、ドライブ／ディスク状態情報領域１１６、及びアクセス制御領域１１７を含む。
【００３４】
ＤＭＡ１１４は、ユーザデータ領域１２２に発生した欠陥に関する情報を記録するための領域である。これについては、図４を参照して詳細に説明する。
【００３５】
テスト領域１１５は、このディスク１００に最適の記録条件で記録をするために、記録パワーなどをテストできる領域である。
【００３６】
ドライブ／ディスク状態情報領域１１６は、ドライブ及びディスク１００の状態情報を記録するための領域である。
【００３７】
アクセス制御領域１１７は、今後、追加される新たな機能に対してドライブシステムの動作を規定した情報を記録するための領域である。すなわち、所定の機能に関する設定情報を示す個別情報と、このような所定の機能を知らないドライブシステムであっても、このディスク１００へのアクセス制御を行うことを可能にする共通情報が記録される領域である。アクセス制御領域については、図５を参照して詳細に説明する。
【００３８】
図４は、図３に示すＤＭＡ１１４の細部的な構造図である。図４を参照するに、ＤＭＡ１１４は、ＤＤＳ  ４１０とＤＦＬ  ４２０とを含む。
【００３９】
ＤＦＬ  ４２０は、欠陥リスト（ＤｅＦｅｃｔ  Ｌｉｓｔ）であって、ユーザデータ領域で発生した欠陥に関する情報を含んでいる。例えば、欠陥リストは、ユーザデータ領域に発生した欠陥ブロックのアドレス情報、この欠陥ブロックを代替する代替ブロックのアドレス情報、欠陥に関する状態情報などを含む。
【００４０】
ＤＤＳ  ４１０は、ディスク定義構造（Ｄｉｓｃ  Ｄｅｆｉｎｉｔｉｏｎ  Ｓｔｒｕｃｔｕｒｅ）であって、ディスク管理に関する情報を含んでいる。すなわち、ＤＤＳ  ４１０は、ディスクの初期化のときまたは再初期化のときに記録される情報であって、スペア領域のサイズ情報、ユーザデータ領域の開始や終了アドレス情報などを含み、特に、ＡＣＤ状態情報４１１を含んでいる。
【００４１】
ＡＣＤ状態情報４１１は、アクセス制御領域に記録されるアクセス制御データの記録状態や欠陥状態に関する情報を示す。アクセス制御データ（Ａｃｃｅｓｓ  Ｃｏｎｔｒｏｌ  Ｄａｔａ：ＡＣＤ）ブロックの状態情報をＤＤＳに記録して管理すれば、ＡＣＤを効果的に管理することが可能になる。ＡＣＤブロックの再生時、ディスクがドライブにローディングされれば、ドライブは、ＤＤＳ内にあるそれぞれのＡＣＤブロックに関する状態情報から有効なＡＣＤブロックが記録された位置を認識し、有効なＡＣＤブロックを再生する。
【００４２】
図５は、図３に示すアクセス制御領域１１７の細部的な構造図の一例である。図５を参照するに、アクセス制御領域１１７は、ＡＣＤ＃１、ＡＣＤ＃２、ＡＣＤ＃３…を含む。
【００４３】
各ＡＣＤは、既存の規格によるドライブシステムのみならず、新たな機能が追加された新たな規格によるドライブシステムでも、このディスクへのアクセス制御のために共通して認識できる共通情報と、そのＡＣＤの機能を認識しているドライブシステムのみが認識できる個別情報とを含む。
【００４４】
言い換えれば、ＡＣＤ＃１は、“機能１”に関する個別情報及び共通情報を構成し、ＡＣＤ＃２は、“機能２”に関する個別情報及び共通情報を構成し、ＡＣＤ＃３は、“機能３”に関する個別情報及び共通情報を構成する。ここで、例えば、機能１は、ドライブシステムが認識できる機能であり、機能２と機能３とは、ドライブシステムが認識できない機能でありうる。
【００４５】
ＡＣＤ＃１  ５００は、共通情報５１０と個別情報５２０とを含む。
【００４６】
共通情報５１０は、このアクセス制御データを識別するための識別子であるＡＣＤ＿ＩＤ  ５１１、ＤＤＳを除外したＤＭＡの記録が可能であるか否かを示すＤＭＡ記録可否情報５１２、スペア領域の記録が可能であるか否かを示すスペア領域記録可否情報５１３、ユーザデータ領域の記録が可能であるか否かを示すユーザデータ領域記録／再生可否情報５１４を含む。
【００４７】
ドライブシステムは、ＡＣＤ＿ＩＤ  ５１１を確認することによって、このアクセス制御データが認識可能な機能に関するものであるか、認識不能な機能に関するものであるかを判断できる。すなわち、ＡＣＤ＿ＩＤ  ５１１がドライブシステムが知っている識別子であれば、このＡＣＤは、ドライブシステムが認識可能な機能に関するものであり、ドライブシステムが知らない識別子であれば、このＡＣＤは、ドライブシステムが認識不能な機能に関するものである。
【００４８】
また、ドライブシステムは、前記ＡＣＤ＿ＩＤ  ５１１を認識できなくても、前記共通情報に入っている内容を確認することによって、ドライブシステムが認識不能な機能に対しても最小限の適切な動作を行うことができる。
【００４９】
個別情報５２０は、このアクセス制御データの機能に関連した情報５２１を含む。機能による情報５２１は、ユーザ、ファイルシステムドライブ、所定の記録または再生アプリケーションまたはドライブ製作者、またはコマンドセットなどにより、このアクセス制御データの機能を意図する方向に使用するために設定される設定値などの設定情報を示す。このような機能による情報５２１は、各機能によってその情報の形態や量または数がその機能に合って設定されるため、その情報フィールドが共通情報フィールドとは異なって常に同じサイズを有さないこともある。
【００５０】
所定の機能を認識している記録／再生装置は、この機能に関するアクセス制御データの個別情報に意図する方向によって、この機能に関する設定情報を設定し、また共通情報の一部または全体に、個別情報に設定された設定情報に依存したり、またはその設定情報に対応する情報を設定する。それにより、このような所定の機能を認識できない記録／再生装置は、アクセス制御データの個別情報を認識することができなくても、このような個別情報に相応する設定情報を共通情報から得ることができるので、自分が認識できない機能であっても、その機能に準じて媒体を運用できる情報を得ることができる。
【００５１】
すなわち、所定機能に関するアクセス制御データは、個別情報と共通情報とを含むが、個別情報は、この所定機能を認識している記録／再生装置がこの所定機能に関する作業を行うことを可能にするために設定される情報であり、共通情報は、この所定機能を認識できない記録／再生装置がこの所定機能に準ずる作業を行うことを可能にするために設定される情報である。
【００５２】
それぞれの機能によるアクセス制御データは、媒体の初期化、再初期化またはその機能を使用しようとする時点で、記録／再生装置が認識している機能に限られて媒体上に記録されて使用される。
【００５３】
図６Ａ及び図６Ｂは、所定の機能が記録防止機能であるときに、アクセス制御データに設定される設定情報を示す図である。記録防止機能は、媒体の一部領域または全体領域またはユーザデータ領域にデータの記録を禁止させる機能をいう。
【００５４】
図６Ａは、本発明によって記録防止状態に設定された記録防止ＡＣＤ６００の一例である。
【００５５】
記録防止機能を認識する記録／再生装置は、媒体上に記録防止機能を適用して使用できる。このとき、ユーザが媒体のユーザデータ領域を記録防止しようとする場合、該記録防止機能を認識する記録／再生装置は、記録防止ＡＣＤの個別情報６２０に記録防止フラグ６２１を、図６Ａに示すように、“記録防止”状態に設定する。また、この記録防止機能を認識する記録／再生装置は、このような記録防止機能を知らない記録／再生装置のために、記録防止ＡＣＤの共通情報６１０にＤＭＡ（ＤＤＳを除く）記録可否情報６１２、スペア領域記録可否情報６１３、ユーザデータ領域記録／再生可否情報６１４のように、ユーザデータ領域の記録と関連した情報フィールドを図６Ａに示すように“記録不可”状態に設定する。
【００５６】
ドライブによる欠陥管理が設けられた情報記録媒体において、ユーザデータ領域の記録時に欠陥が発生すれば、代替する領域としてスペア領域が設けられ、またその代替された状態を示すための欠陥管理情報と、媒体の記録及び媒体の定義構造に関する情報のための欠陥管理領域が設けられる。これにより、ユーザデータ領域の記録防止は、欠陥管理領域だけでなく、スペア領域の記録防止とも関連している。また、ＤＭＡからＤＤＳを除外した理由は、ＡＣＤの状態情報がＤＤＳに保存されるため、ＤＤＳを含む場合に、ＡＣＤ領域のアップデートによる状態情報の変更をＤＤＳに反映できないためである。もしＡＣＤが記録される領域の状態情報がＤＤＳに保存されないならば、ＤＤＳを除外するという制約なしに、単にＤＭＡ記録可否情報としてもよい。また、 追記型情報記録媒体の場合、前記ＤＭＡは、ＴＤＭＡ（Ｔｅｍｐｏｒａｒｙ  Ｄｅｆｅｃｔ  Ｍａｎａｇｅｍｅｎｔ  Ａｒｅａ）に対応し、ＤＤＳは、ＴＤＤＳ（Ｔｅｍｐｏｒａｒｙ  Ｄｉｓｃ  Ｄｅｆｉｎｉｔｉｏｎ  Ｓｔｒｕｃｔｕｒｅ）に代替できる。
【００５７】
図６Ｂは、本発明によって記録防止解除に設定された記録防止ＡＣＤの一例である。
【００５８】
ユーザが媒体に設定された記録防止を解除しようとする場合、この記録防止機能を認識する記録／再生装置は、記録防止ＡＣＤの個別情報６２０の記録防止フラグを、図６Ｂに示すように“記録防止解除”状態に設定する。また、この記録防止機能を認識する記録／再生装置は、このような記録防止機能を認識できない記録／再生装置のために、共通情報６１０のＤＭＡ（ＤＤＳを除く）記録可否情報６１２、スペア領域記録可否情報６１３、ユーザデータ領域記録／再生可否情報６１４のようなユーザデータ領域の記録と関連した情報フィールドを、図６Ｂに示すように、“記録可能”状態に設定する。これにより、今後この媒体を記録防止機能を認識できない記録／再生装置に挿し入れても、記録防止ＡＣＤの共通情報を参照して実際媒体上に設定された記録防止状態と同じ意図で媒体を使用できるように誘導できる。
【００５９】
言い換えれば、記録防止が設定されていれば、ＤＭＡ（ＤＤＳの除く）、スペア領域、ユーザデータ領域を記録不可能状態に、記録防止が解除されていれば、ＤＭＡ、スペア領域、ユーザデータ領域を記録可能状態に設定する。これにより、記録防止機能を認識できない記録／再生装置であっても、記録防止ＡＣＤが記録されて使われた媒体を実際使用意図に合わせて使用できるので、媒体使用の効率を高めることができる。
【００６０】
図７Ａ及び図７Ｂは、所定機能が再生防止機能であるときに、アクセス制御データに設定される設定情報を示す図である。再生防止機能は、媒体の一部領域または全体領域またはユーザデータ領域からデータの再生を禁止させる機能をいう。
【００６１】
図７Ａは、本発明によって再生防止状態に設定された再生防止ＡＣＤの一例である。
【００６２】
再生防止機能を認識する記録／再生装置は、媒体上に再生防止機能を適用して使用できる。このとき、ユーザが媒体のユーザデータ領域を再生防止しようとする場合、この再生防止機能を認識する記録／再生装置は、再生防止ＡＣＤの個別情報７２０に再生防止フラグ７２１を、図７Ａに示すように、“再生防止設定”状態に設定する。また、この再生防止機能を認識する記録／再生装置は、このような再生防止機能を認識できない記録／再生装置のために、再生防止ＡＣＤの共通情報７１０にユーザデータ領域記録／再生可否情報７１２のようなユーザデータ領域の再生と関連した情報フィールドを、図７Ａに示すように、“再生不可”状態に設定する。
【００６３】
図７Ｂは、本発明によって再生防止解除に設定された再生防止ＡＣＤの一例である。
【００６４】
ユーザが媒体に設定された再生防止を解除しようとする場合、この再生防止機能を認識する記録／再生装置は、再生防止ＡＣＤの個別情報７２０の再生防止フラグ７２１を、図７Ｂに示すように、“再生防止解除”状態に設定する。また、この再生防止機能を認識する記録／再生装置は、このような再生防止機能を認識できない記録／再生装置のために、共通情報７１０のユーザデータ領域記録／再生可否情報７１２のようなユーザデータ領域の再生と関連した情報フィールドを、図７Ｂに示すように、“再生可能”状態に設定する。これにより、今後この媒体を再生防止機能を認識できない記録／再生装置に挿し入れても、再生防止ＡＣＤの共通情報を参照して実際媒体上に設定された再生防止状態と同じ意図で媒体を使用できるように誘導できる。
【００６５】
言い換えれば、再生防止が設定されていれば、ユーザデータ領域を再生不可能状態に、再生防止が解除されていれば、ユーザデータ領域を再生可能状態に設定する。これにより、再生防止機能を認識できない記録／再生装置であっても、再生防止ＡＣＤが記録されて使われた媒体を実際の使用意図に合わせて使用できるので、媒体使用の効率を高めることができる。
【００６６】
図８は、本発明によってディスクを運用する記録／再生装置の概略的なブロック図である。図８を参照するに、記録／再生装置は、記録／読み出し部２と制御部１とを備える。
【００６７】
記録／読み出し部２は、ピックアップなどを備えて本発明が適用される光記録情報記録媒体であるディスク１００にデータを記録し、ディスク１００に記録されたデータを読み出す。
【００６８】
制御部１は、所定のファイルシステムによってディスク１００にデータを記録し、読み出すように記録／読み出し部２を制御する。特に、本発明による制御部１は、この制御部１が認識する機能に関するアクセス制御データを生成するか、または変更する場合、自身が認識する機能に関する設定情報をアクセス制御データの個別情報に設定するだけでなく、このような機能を認識できない記録／再生装置のために、アクセス制御データの共通情報にこの設定情報に対応する情報を設定する。
【００６９】
制御部１は、システム制御器１０と、ホストＩ／Ｆ  ２０と、ＤＳＰ  ３０と、ＲＦ  ＡＭＰ  ４０と、サーボ５０とを備える。
【００７０】
記録時、ホストＩ／Ｆ  ２０は、ホスト３から所定の記録命令を受信してそれをシステム制御器１０に伝送する。システム制御器１０は、このようなホストＩ／Ｆ  ２０から受信された記録命令を行うために、ＤＳＰ  ３０とサーボ５０とを制御する。ＤＳＰ  ３０は、ホストＩ／Ｆ  ２０から受けた記録するデータをエラー訂正のためにパリティなど付加データを添加し、ＥＣＣエンコーディングを行って、エラー訂正ブロックのＥＣＣブロックを生成した後、それを既定の方式で変調する。ＲＦ  ＡＭＰ  ４０は、ＤＳＰ  ３０から出力されたデータをＲＦ信号に変える。ピックアップを備えた記録／読み出し部２は、ＲＦ  ＡＭＰ  ４０から伝送されたＲＦ信号をディスク１００に記録する。サーボ５０は、システム制御器１０からサーボ制御に必要な命令を入力されて、記録／読み出し部２のピックアップをサーボ制御する。特に、本発明によって、システム制御器は、自身が認識する機能について設定情報を設定する場合、この機能を認識できない記録／再生装置でもこのような機能に準じてディスクを運用できるように、アクセス制御データを管理する。例えば、このシステム制御器１０が記録防止機能を媒体に使用しようとする場合、アクセス制御データの個別情報に記録防止フラグを記録防止状態に設定したならば、これに対応して、アクセス制御データの共通情報にも媒体の全体領域または一部領域について記録不可状態に設定する。
【００７１】
再生時、ホストＩ／Ｆ  ２０は、ホスト３から再生命令を受ける。システム制御器１０は、再生に必要な初期化を行う。記録／読み出し部２は、ディスク１００にレーザービームを照射し、ディスク１００から反射されたレーザービームを受光して得られた光信号を出力する。ＲＦ  ＡＭＰ  ４０は、記録／読み出し部２から出力された光信号をＲＦ信号に変え、ＲＦ信号から得られた変調されたデータをＤＳＰ  ３０に提供する一方、ＲＦ信号から得られた制御のためのサーボ信号をサーボ５０に提供する。ＤＳＰ  ３０は、変調されたデータを復調し、ＥＣＣエラー訂正を経て得られたデータを出力する。一方、サーボ５０は、ＲＦ  ＡＭＰ  ４０から受けたサーボ信号とシステム制御器１０から受けたサーボ制御に必要な命令とを受けて、ピックアップに対するサーボ制御を行う。ホストＩ／Ｆ  ２０は、ＤＳＰ  ３０から受けたデータをホストに伝送する。システム制御器１０は、自身が認識する機能に関する設定情報を得るためには、ディスクのアクセス制御領域に記録されたアクセス制御データの個別情報を読み出すように制御し、自身が認識できない機能に関する設定情報を得るためには、ディスクのアクセス制御領域に記録されたアクセス制御データの共通情報を読み出すように制御する。
【００７２】
図８に示す記録／再生装置は、個別的な記録装置、再生装置で具現されるか、または一つの記録及び再生装置で具現されうる。
【００７３】
図９は、本発明によって機能Ａを認識する記録／再生装置でのディスク運用過程を示すフローチャートである。
【００７４】
機能Ａを認識できるドライブシステムにディスクがローディングされる（９１０）。
【００７５】
ユーザがこのような機能Ａをローディングされたディスクに適用しようとする場合、ドライブシステムは、機能Ａに関する設定情報をディスクのアクセス制御領域のＡＣＤの個別情報フィールドに記録する（９２０）。例えば、機能Ａが記録防止機能であれば、機能Ａに関する設定情報は、記録防止設定状態または記録防止解除状態となり、機能Ａが再生防止機能であれば、機能Ａに関する設定情報は、再生防止設定状態または再生防止解除状態となりうる。
【００７６】
また、ドライブシステムは、機能Ａを認識できない記録／再生装置のために、機能Ａに関する設定情報に依存する対応情報をディスクのアクセス制御領域のＡＣＤの共通情報フィールドに記録する（９３０）。例えば、機能Ａに関する設定情報が記録防止設定状態であれば、共通情報フィールドには、ディスクの一部または全体領域に対する記録不可状態に設定でき、機能Ａに関する設定情報が再生防止設定状態であれば、共通情報フィールドには、ディスクの一部または全体領域に対する再生不可状態に設定できる。
【００７７】
そして、ドライブシステムは、前記個別情報フィールドに記録された機能Ａに関する設定情報によってディスクを使用する（９４０）。例えば、機能Ａに関する設定情報が記録防止設定状態であれば、このディスクに記録を防止し、機能Ａに関する設定情報が再生防止設定状態であれば、このディスクからデータを再生することを防止する。
【００７８】
図１０は、本発明によって機能Ａを認識できない記録／再生装置でのディスク運用過程を示すフローチャートである。
【００７９】
機能Ａを認識できないドライブシステムにディスクがローディングされる（１０１０）。
【００８０】
ドライブシステムは、機能Ａの設定情報に対応する情報をディスクのアクセス制御領域のＡＣＤの共通情報フィールドから読み出す（１０２０）。
【００８１】
ドライブシステムは、読み出された機能Ａの設定情報に対応する情報を参照して、機能Ａに準ずる形態でディスクを使用する（１０３０）。
【００８２】
前述したような本発明は、本明細書に記述されている実施形態による内容に限定されず、本発明から同様に導出できる概念を含む。すなわち、所定の機能のための情報構造は、上位概念の情報と下位概念の情報とから構成される。このような所定の機能を運用する能力のある主体、すなわち記録／再生装置が、情報記録媒体に該所定の機能を適用して使用するために、上位概念による情報を運用し、またこのような所定の機能を運用する能力のない主体が、情報記録媒体を所定の機能に合わせて適切に運用できるように下位概念の情報を設定する。このとき、上位概念に準ずる内容を下位概念に適用されるように設定し、たとえ前記所定の機能を認識できない記録／再生装置であっても、前記下位概念の情報を参照して、そのような所定の機能が適用された情報記録媒体を正しい使用範囲内で最大限に運用できるようにすることが可能である。
【００８３】
以上、説明したような運用方法及び記録／再生方法は、またコンピュータで読み取り可能な記録媒体にコンピュータが読み取り可能なコードとして具現することが可能である。コンピュータで読み取り可能な記録媒体は、コンピュータシステムによって読み取られるデータが保存されるあらゆる種類の記録装置を含む。コンピュータで読み取り可能な記録媒体の例としては、ＲＯＭ、ＲＡＭ、ＣＤ−ＲＯＭ、磁気テープ、フロッピー（登録商標）ディスク、光データ保存装置などがあり、またキャリアウェーブ（例えば、インターネットを介した伝送）の形態で具現されるものも含む。また、コンピュータで読み取り可能な記録媒体は、ネットワークに連結されたコンピュータシステムに分散されて、分散方式でコンピュータで読み取り可能なコードが保存されて実行されうる。そして、前記記録／再生方法を具現するための機能的なプログラム、コード及びコードセグメントは、本発明が属する技術分野のプログラマにより容易に推論されうる。
【００８４】
これまで、本発明について、その望ましい実施形態を中心に述べた。当業者は、本発明が、本発明の本質的な特性から逸脱しない範囲で、変形された形態で具現可能であるということを理解できるであろう。したがって、開示された実施形態は、限定的な観点ではなく、説明的な観点で考慮されねばならない。本発明の範囲は、前述した説明ではなく、特許請求の範囲に表れており、それと同等な範囲内にあるあらゆる差異点は、本発明に含まれているものと解釈されねばならない。
【図面の簡単な説明】
【００８５】
【図１】従来技術によって異なる規格のディスク間の互換性を説明するための参考図である。
【図２】本発明によるディスク運用方法を説明するための参考図である。
【図３】本発明によるディスクの構造図である。
【図４】図３に示すＤＭＡの細部的な構造図の一例である。
【図５】図３に示すアクセス制御領域の細部的な構造図の一例である。
【図６Ａ】本発明によって記録防止状態に設定された記録防止ＡＣＤの一例である。
【図６Ｂ】本発明によって記録防止解除に設定された記録防止ＡＣＤの一例である。
【図７Ａ】本発明によって再生防止状態に設定された再生防止ＡＣＤの一例である。
【図７Ｂ】本発明によって再生防止解除に設定された再生防止ＡＣＤの一例である。
【図８】本発明によってディスクを運用する記録／再生装置の概略的なブロック図である。
【図９】本発明によって機能Ａを認識する記録／再生装置でのディスク運用過程を示すフローチャートである。
【図１０】本発明によって機能Ａを認識できない記録／再生装置でのディスク運用過程を示すフローチャートである。
【図１】
2008518375.tif 000003
【図２】
2008518375.tif 000004
【図３】
2008518375.tif 000005
【図４】
2008518375.tif 000006
【図５】
2008518375.tif 000007
【図６Ａ】
2008518375.tif 000008
【図６Ｂ】
2008518375.tif 000009
【図７Ａ】
2008518375.tif 000010
【図７Ｂ】
2008518375.tif 000011
【図８】
2008518375.tif 000012
【図９】
2008518375.tif 000013
【図１０】
2008518375.tif 000014
【国際調査報告】
2008518375.tif 000015
2008518375.tif 000016